(57)【要約】【課題】偽造・改竄を防止でき、高いセキュリティーを有する磁気カードの識別方法を提供する。【解決手段】支持体である基板上に磁性体からなる磁気記録層を設けた磁気カードにおいて、前記磁気カードの磁性面または印刷面もしくは両面に磁気バーコードを有し、前記磁気バーコードを磁気ヘッドで読み取る際に、読み取り系に対し、磁気ヘッドに印加しておくバイアス電流の値を任意に設定することにより磁気バーコードの相対ピーク出力比が変わることを利用して磁気カードを識別する。【選択図】　図１
2004066524.tif 000002
【特許請求の範囲】
【請求項１】
支持体である基板上に磁性体からなる磁気記録層を設けた磁気カードの識別方法において、前記磁気カードの磁性面または印刷面もしくは両面に磁気バーコードを有し、前記磁気バーコードを磁気ヘッドで読み取る際に、磁気カード読み取り系に対し、磁気ヘッドに印加しておくバイアス電流の値を任意に設定することにより磁気バーコードの相対ピーク出力比が変わることを利用したことを特徴とする磁気カードの識別方法。
【請求項２】
請求項１記載の磁気カードの識別方法において、前記バイアス電流値を前記磁気記録層に磁気データとして記録しておき、磁気記録再生によって指定のバイアス電流値を得て、前記のバイアス電流値を磁気ヘッドに印加することによって前記磁気バーコードのパターンを判別することを特徴とする磁気カードの識別方法。
【請求項３】
請求項２記載の磁気カードの識別方法において、前記磁気記録層に磁気カードが返却される際、次回使用する場合のバイアス電流値を、あらかじめ指定しておいた複数のバイアス電流設定値の中からランダムに選び記録しておき、次回使用時は請求項２に記載の、指定のバイアス電流値を得て、前記のバイアス電流値を磁気ヘッドにかけることによって磁気バーコードのパターンを判別することを特徴とする磁気カードの識別方法。
【発明の詳細な説明】
【０００１】
【発明の属する技術分野】
本発明は、主として磁気カードの識別方法に関し、特に　偽造・改竄防止機能を有する磁気カードの識別方法に関するものである。
【０００２】
【従来の技術】
近年、さまざまな分野でプリペイドカード等として磁気カードが使用されている。一般に、この種のカードでは、プラスチックフィルム基板上の一部または全面に磁気記録層を設け、この磁気記録層に必要な情報を磁気記録し、これを読み取り装置で読み出して処理を行っている。しかし、従来、この種の磁気カードにおいては、使用済みあるいは残額の少ないカードを利用して、磁気記録情報を改竄して再度使用可能にするという不正行為が、問題となっている。
【０００３】
このため、近年では、比較的透磁率の高いフェライト材や金属磁性材と非磁性材料を組み合わせた磁気バーコードをセキュリティーとして設け、この磁気バーコードを磁気ヘッドで読み取る場合に、磁気ヘッドにバイアス電流を流し、出力の得られるバーを「１」、出力の得られないバーを「０」として、その出力波形からパターンを得、このパターンを確認して、その真偽判定を行っていた。
【０００４】
【発明が解決しようとする課題】
しかしながら、このような識別方法を採用しても、その磁気バーコードから１種類の出力パターンしか得られなかったため、偽造・改竄を完全に防止することはできていなかった。
【０００５】
本発明は、上記の欠点を除去し、偽造・改竄を防止でき、高いセキュリティーを有する磁気カードの識別方法を提供することを目的とする。
【０００６】
【課題を解決するための手段】
本発明によれば、支持体である基板上に磁性体からなる磁気記録層を設けた磁気カードにおいて、前記磁気カードの磁性面または印刷面もしくは両面に磁気バーコードを有し、前記磁気バーコードを磁気ヘッドで読み取る際に、読み取り系に対し、磁気ヘッドに印加しておくバイアス電流の値を変えることにより磁気バーコードの相対ピーク出力比が変わることを利用した磁気カードの識別方法が得られる。
【０００７】
また、本発明によれば、磁気ヘッドに対して印加するバイアス電流値を磁気カードの磁気記録層に磁気データとして記録しておき、磁気記録再生によって指定のバイアス電流値を得て、得られたバイアス電流値を磁気ヘッドにかけることによって磁気バーコードのパターンを識別する識別方法が得られる。
【０００８】
また、本発明によれば、該磁気カードの磁気記録層に、次回使用する場合のバイアス電流値を、あらかじめ指定しておいた複数のバイアス設定値の中からランダムに選び記録しておき、次回使用時はこれを読み出し指定のバイアス電流とする磁気バーコードパターンの識別方法が得られる。
【０００９】
したがって、本発明は、前記磁気バーコードを磁気ヘッドで読み取る際に、該読み取り系に対して、磁気記録情報により指定されたバイアス電流を印加し、そのバイアス電流特有のバーコードパターンを読み出すことにより磁気カードの真偽判定を行うことを特徴とする。
【００１０】
つまり、バーコード出力の相対ピーク出力比がバイアス電流値により変化することを利用して、バイアス電流とバーコードパターンの対比により磁気カードの真偽を識別することを特徴とする磁気カードの識別方法が得られる。
【００１１】
なお、相対ピーク出力比とは、出力波形の正側の出力と負側の出力の比を示す。正負に関しては、磁気ヘッドの極性と電流方向により決まるもので、カード特有の絶対的なものではない。
相対ピーク出力比＝Ｖ０＋ｐ／Ｖ０−ｐ
【００１２】
【発明の実施の形態】
本発明の実施の形態による磁気カードの識別方法について、以下説明する。
【００１３】
（実施の形態１）
図１は、本発明の実施の形態１による磁気カードの識別方法に使用される磁気カードの平面図である。図２は、図１の磁気カードの断面図である。ここで、カード基材２０は、１８８μｍ厚の白ＰＥＴ（ポリエチレンテレフタレート）を使用した。
【００１４】
また、磁気記録層２１は、保磁力２７５０ＯｅのＢａフェライト粉にウレタン系樹脂及びトルエン、ＭＥＫ（メチルエチルケトン）等の溶剤を加え攪拌混合後、グラビア印刷により乾燥厚さ８μｍになるよう調整し、塗布乾燥して作製した。磁気バーコード層２２は、保磁力１０Ｏｅのマグネタイト粉にウレタン系樹脂及びトルエンを加え攪拌混合後、スクリーン印刷により形成した。
【００１５】
ここで、ダミーバーコード層２３は、保磁力を持たないガラスビーズにウレタン系樹脂及びトルエンを加え攪拌混合後、スクリーン印刷により形成した。バーコード厚さは、各々乾燥厚さ８μｍになるよう調整し、塗布乾燥して作製した。また、バーコードの幅は０．１ｍｍに設定した。隠蔽層（シルバー層）２４は、グラビア印刷にて乾燥厚さ２μｍになるよう調整し塗布乾燥して作製した。保護層（ＵＶ硬化系のニス）２５は、硬化厚さ１μｍに設定し、オフセット印刷にて塗布硬化して作製した。これら各層を積層し、本発明の実施の形態１の磁気カードを得た。
【００１６】
ここで、磁気カードの識別方法の内容について説明する。前記内容で作製した磁気カードの磁気バーコードを磁気ヘッドで読み取ることを考える。磁気ヘッドの片側のコイルにあらかじめバイアス電流を流しておき、逆側のコイルに発生する誘導起電力を磁気バーコードの出力とする測定方式を対象とする場合、ある測定系で前記磁気カードを測定した場合のバイアス電流と相対ピーク出力値の関係を図３に示すように調整しておく。
【００１７】
この場合、バイアス電流が２ｍＡの場合、相対ピーク出力値が１．０であり、６ｍＡの場合、１．５であり、１０ｍＡの場合、２．０を示している。
【００１８】
図４は、バイアス電流２ｍＡの場合の本発明の磁気カードにおける磁気バーコード層の出力波形図であり、図５は、同じく、バイアス電流６ｍＡの場合の本発明の磁気カードにおける磁気バーコード層の出力波形図であり、図６は、同じく、バイアス電流１０ｍＡの場合の本発明の磁気カードにおける磁気バーコード層の出力波形図である。
【００１９】
図４〜図６に示すように、Ｖ０＋ｐ側とＶ０−ｐ側に３箇所のスライスレベルを設け、バーコードパターンを測定すれば、各バイアス電流値の場合の各スライスレベルで下記ののような磁気バーコードパターンが得られる。
【００２０】
【表１】
2004066524.tif 000003
【００２１】
このように、１種のバーコードでも、ある測定系の中でバイアス電流値とスライスレベルを調整することにより、バーコードが出力として得られる場合と得られない場合があり、また同じバイアス電流値でもＶ０＋ｐ側で得られるパターンとＶ０−ｐ側で得られるパターンが異なる状況を作ることができる。このことを利用し、磁気カードの識別を行うのが請求項１に記載の内容である。
【００２２】
（実施の形態２）
本発明の実施の形態２による磁気カードの識別方法について説明する。本発明の実施の形態２による磁気カードの識別方法は、磁気カードの磁気記録層に、測定系内で設定されたバイアス電流値の中から、あらかじめ次回このカードがこの測定系（読み取り系）で使用されるときに磁気カード測定用磁気ヘッドに流れるバイアス電流値とそのバイアス電流の場合の認識するバーコードパターンを記録しておき、カードの真偽判定を磁気記録情報とその情報により得られたバイアス電流値での磁気バーコード読み取りパターンとの対比により行うものである。
【００２３】
（実施の形態３）
本発明の実施の形態３による磁気カードの識別方法について説明する。本発明の実施の形態３による磁気カードの識別方法は、実施の形態２の磁気記録層に記録されている次回読み取り時の磁気情報を、前回読み取り時に、あらかじめ設定されている複数のバイアス電流設定値（本実施の形態で上げている例では２，６，１０ｍＡの３種）の中からランダムに選び記録しておき、実施の形態２と組み合わせて繰り返すというものである。
【００２４】
本発電の実施の形態については、３種のバイアス電流値の３種のスライスレベルで説明したが、これに限られるものではなく、波形のパターン認識を分離することが可能な状態であれば、何種のバイアス電流値やスライスレベルを駆使しても良い。また、スライスレベルは、本実施の形態ではＶ０＋ｐ側とＶ０−ｐ側で対象に設定してあるが、必ずしもその必要はなく、より複雑化させることによりセキュリティ性も上がる。なお、相対ピーク出力値は、測定系の回路や磁気ヘッドの種類により変わり、また、バーコードの幅、バーコードの材料、走行スピード、も大きく影響するので、磁気カードと測定系を設計する場合、注意を要する。
【００２５】
【発明の効果】
上述したように、本発明によれば、磁気バーコードを測定する磁気ヘッドに流すバイアス電流値を変えることにより磁気バーコード出力の相対ピーク出力値が変わってくること利用し、Ｖ０＋ｐ側とＶ０−ｐ側で異なる磁気バーコードのパターン認識が可能になり、また磁気バーコードのパターン認識が磁性層に磁気記録された磁気情報と連動して作用するため、従来の磁気バーコードを有している通常の磁気カードのセキュリティーに比べ高いセキュリティを有する磁気カードの識別方法の提供が可能になった。
【図面の簡単な説明】
【図１】本発明の実施の形態１による磁気カードの識別方法で使用される磁気カードの平面図。
【図２】図１の磁気カードの断面図。
【図３】本発明の実施の形態１の磁気カードの識別方法における磁気カードのバイアス電流値と相対ピーク出力比の関係を示す図。
【図４】本発明の実施の形態１の磁気カードの識別方法における磁気バーコード層の出力波形図（バイアス電流２ｍＡ）。
【図５】本発明の実施の形態１の磁気カードの識別方法における磁気バーコード層の出力波形図（バイアス電流６ｍＡ）。
【図６】本発明の実施の形態１の磁気カードの識別方法における磁気バーコード層の出力波形図（バイアス電流１０ｍＡ）。
【符号の説明】
２０　　カード基材
２１　　磁気記録層
２２　　磁気バーコード層
２３　　ダミーバーコード層
２４　　隠蔽層
２５　　保護層
【図１】
2004066524.tif 000004
【図２】
2004066524.tif 000005
【図３】
2004066524.tif 000006
【図４】
2004066524.tif 000007
【図５】
2004066524.tif 000008
【図６】
2004066524.tif 000009